(57)【特許請求の範囲】
【請求項１】
婦人用下着類の端部領域を互いに結び合わせるための結合要素、特にブラジャーのキャリアバンドの端部領域の結合要素であって、アイレットサポート領域とアイレットフリー領域を有するアイレットテープが設けられていて、このアイレットテープがフックテープと結び合わせられ得て、このフックテープが、フックフリー領域とフックサポート領域を有し、このフックサポート領域のフックが固定継目を用いてフックテープに固定されていて、これらのフックに対して平行に延びる、両方の領域の縁ゾーンが、各々の切断溶接継目を用いて互いに結び合わされている結合要素において、
切断溶接継目（１０）がフックテープ（２）の内側でそのフックフリー領域（８）とフックサポート領域（７）との間に配置されていることを特徴とする結合要素。
【請求項２】
フックフリー領域（８）がフックサポート領域（７）上に載せられている状態で切断溶接継目（１０）が形成されていて、これらの切断溶接継目（１０）がフックテープ（２）の裏返しにより両方の領域（７、８）の間へともたらされていることを特徴とする、請求項１に記載の結合要素。
【請求項３】
アイレットテープとフックテープを有する請求項１に記載の結合要素を製造するための方法であって、フックテープを形成するために、フックの設けられているベーステープから切断溶接により対応するセクションが切り離される方法において、
セクションをベーステープ（１）から切り離す前にこのベーステープ（１）がその自由端部の領域においてその縦軸線に対して実質的に平行に延びる折り重ねラインを回って、ベーステープ（１）のフックフリー領域（８）がフック（３）上に載せられるように折り重ねられ、引き続いて切断溶接継目（１０）によりセクションが切り離され、更には、上下に重なり合って位置するそれらの領域（７、８）がそれらのカッティングエッジ（９、１１）に沿って互いに結び合わされ、次に、そのように形成されたフックテープ（２）が、切断溶接継目（１０）がフックテープ（２）の内側で両方の領域（７、８）の間へと達するように裏返されることを特徴とする方法。
【請求項４】
固定継目（４）が折り重ねラインに対して間隔をもって延びていることを特徴とする、請求項３に記載の結合要素のフックテープを製造するための方法。
【請求項５】
婦人用下着類の端部領域を互いに結び合わせるための結合要素、特にブラジャーのキャリアバンドの端部領域の結合要素であって、１つの又は複数のフックの備えられているフックテープが設けられていて、このフックテープがアイレットテープと結び合わせられ得て、このアイレットテープがアイレットフリー領域とアイレットサポート領域を有し、このアイレットサポート領域のアイレットが、１つの又は複数の固定継目を用いてベーステープに固定されていて、アイレットの縦方向に対して平行に延びる縁ゾーンが各々に切断溶接継目を有する結合要素において、
アイレットテープ（２２）が、そのアイレットフリー領域（２７）に配置されているカバーテープ（３０）を有し、このカバーテープ（３０）が切断溶接継目（３１、３２）を用いてアイレットテープ（２２）と結び合わされていて、それらの切断溶接継目（３１、３２）がアイレットテープ（２２）の内側でそのアイレットフリー領域（２７）とカバーテープ（３０）との間に配置されていることを特徴とする結合要素。
【請求項６】
アイレットサポート領域（２６）上にカバーテープ（３０）が載せられている状態で切断溶接継目（３１、３２）が形成されていて、これらの切断溶接継目（３１、３２）がアイレットテープ（２２）の裏返しによりそのアイレットフリー領域（２７）とカバーテープ（３０）との間へともたらされていることを特徴とする、請求項５に記載の結合要素。
【請求項７】
カバーテープ（３０）が、弾性素材、好ましくは弾性生地から成っていることを特徴とする、請求項５に記載の結合要素。
【請求項８】
フックテープとアイレットテープを有する請求項５に記載の結合要素を製造するための方法であって、アイレットテープを形成するために、アイレットの設けられているベーステープから切断溶接により対応するセクションが切り離される方法において、
セクションをベーステープ（２１）から切り離す前にこのベーステープ（２１）の自由端部の領域内においてそのアイレットサポート領域（２６）上にカバーテープ（３０）が載せられ、引き続いてベーステープ（２１）のセクションもカバーテープ（３０）のセクションも切断溶接継目（３１、３２）により切り離され、ベーステープ（２１）とカバーテープ（３０）がそれらのカッティングエッジ（３４、３５）に沿って互いに結び合わされ、次に、そのように形成されたアイレットテープ（２２）が、切断溶接継目（３１、３２）がアイレットテープ（２２）のアイレットフリー領域（２７）とカバーテープ（３０）との間へと達するように裏返されることを特徴とする方法。
【請求項９】
婦人用下着類の端部領域を互いに結び合わせるための結合要素、特にブラジャーのキャリアバンドの端部領域の結合要素であって、アイレットテープが設けられていて、このアイレットテープが、フックフリー領域とフックサポート領域を有するフックテープと結び合わせられ得て、このフックテープのフックが、１つの又は複数の固定継目を用いてベーステープに固定されていて、フックの縦方向に対して平行に延びる縁ゾーンが各々に切断溶接継目を有する結合要素において、
フックテープ（５２）が、そのフックフリー領域（６２）に配置されているカバーテープ（６３）を有し、このカバーテープ（６３）が切断溶接継目（６４、６５）を用いてフックテープ（５２）と結び合わされていて、それらの切断溶接継目（６４、６５）がフックテープ（５２）の内側でそのフックフリー領域（６２）とカバーテープ（６３）との間に配置されていることを特徴とする結合要素。
【請求項１０】
フックサポート領域（６１）上にカバーテープ（６３）が載せられている状態で切断溶接継目（６４、６５）が形成されていて、これらの切断溶接継目（６４、６５）がフックテープ（５２）の裏返しによりそのフックフリー領域（６２）とカバーテープ（６３）との間へともたらされていることを特徴とする、請求項９に記載の結合要素。
【請求項１１】
カバーテープ（６３）が、弾性素材、好ましくは弾性生地から成っていることを特徴とする、請求項９に記載の結合要素。
【請求項１２】
請求項９に対応するフックテープを製造するための方法であって、このフックテープを形成するために、フックの設けられているベーステープから切断溶接により対応するセクションが切り離される方法において、
セクションをベーステープ（５１）から切り離す前にこのベーステープ（５１）の自由端部の領域内においてそのフックサポート領域（６１）上にカバーテープ（６３）が載せられ、引き続いてベーステープ（５１）のセクションもカバーテープ（６３）のセクションも切断溶接継目（６４、６５）により切り離され、ベーステープ（５１）とカバーテープ（６３）がそれらのカッティングエッジ（６６、６７）に沿って互いに結び合わされ、次に、そのように形成されたフックテープ（５２）が、切断溶接継目（６４、６５）がフックテープ（５２）のフックフリー領域（６２）とカバーテープ（６３）との間へと達するように裏返されることを特徴とする方法。
【発明の詳細な説明】
【０００１】
本発明は、下着類のキャリアバンドの端部、例えばブラジャーのキャリアバンドの端部のための結合要素に関する。
【０００２】
この種の結合要素は、多くの場合、両方のキャリアバンドの端部に縫い付けられていて、一般的には、アイレットテープ又はアイテープと、それと結び合わせることのできるフックテープとから成る。
【０００３】
アイレットテープの製造では、先ず、周知の装置において、連続するベーステープにアイレットが縫い付けにより固定される。このために、両方の縦側面で折り返されているベーステープ上に複数の所謂折り重ねテープが部分的に重なり合う配置で縫い付けられ、この際、アイレットは、折り重ねテープを縫い付ける間、ベーステープの縦側面に対して実質的に平行に延びるそれらの継目と共にベーステープ並びに折り重ねテープに固定される。引き続き、ベーステープは、このベーステープに固定されている折り重ねテープと共に、ベーステープの縦方向に対して横向きに延びる切れ目により、アイレットテープを形成するセクションに分割される。
【０００４】
周知の製造法では、例えば超音波溶接法としての熱溶接法により、連続するベーステープから個々のアイレットテープが切り離されるので、ベーステープのカッティングエッジ及び折り重ねテープのカッティングエッジが同時に互いに結び合わされる。連続するベーステープ並びに同様に連続する折り重ねテープからアイレットテープを切り離すこの方式は、確かに製造技術的に簡単でそれに応じて低コストであるが、この方式により、硬くしかも極めて鋭く形付けられた結合縁が生じることになる。ベーステープと折り重ねテープは、それらの縦側面に対して横向きに指向されている切り目により互いに離されるので、これらの結合縁はアイレットテープの縦側面の縁を形成する。
【０００５】
直接的に肌につけるべき下着類、例えばブラジャーでは、これらのキャリアバンドは所定の力で肌にあたり、それにより、同様に肌にあたるアイレットテープの結合縁が肌に食い込んでしまうという危険がある。それにより不快な装着感が得られ、これは肌に刺激を与えるものでもある。
【０００６】
フックテープにおいても状況は似ていて、フックテープの製造では、多くの場合、同様に連続するベーステープが使用される。このベーステープは、先ず、その両方の縦側面を折り返すことによりチューブの形式に成形され、この際、折り返されたこれらの領域は、互いに僅かに重なり合い、実質的に同じ幅を有する。この重なり合う領域、即ちオーバーラップ領域に配置すべきフックは、同様にベーステープの縦側面に対して実質的に平行に延びる継目を用いてベーステープに固定され、この際、上下に重なり合って位置するベーステープの全ての層が同時に互いに結び合わされる。
【０００７】
ここでも、ベーステープが、これに固定されているフックと共に、ベーステープの縦方向に対して横向きに延びる切り目により、フックテープを形成する個々のセクションに分割される。個々のフックテープを切り離す前に、ベーステープは、実質的に中央で、ベーステープの縦方向に対して実質的に平行に延びる折り重ねエッジを回って折り重ねられ、この際、ベーステープのフックサポート領域はフックフリー領域上に載せられる。
【０００８】
同様に熱溶接法で、連続するベーステープから個々のフックテープの切り離しが行われると直ちに、切り離し過程により、上下に重なり合って位置するベーステープの領域のカッティングエッジが互いに結び合わされる。ここでもカッティングエッジが、ベーステープの縦側面に対して横向きに延びているので、これらの接合縁も、そのように製造されるフックテープの端面側の縁を形成する。それにより、フックテープの接合縁も、肌に直接的につけるべき下着類において不快な装着感をもたらし、これは肌に刺激を与え得るものである。
【０００９】
本発明の基礎を成す課題は、確かに熱溶接法を使用して製造可能であるが、そのフックテープ或いはアイレットテープが鋭く形付けられた結合縁を伴わない、下着類のキャリアバンド、例えばブラジャーにおけるアンダーバストバンド（ストラップ）のための結合要素を創作することである。
【００１０】
当初に挙げた形式のフックテープを基礎とし、フックテープのための前記課題は、切断溶接継目がフックテープの内側でそのフックフリー領域（即ちフックを伴わない領域）とフックサポート領域（即ちフックを支える領域）との間に配置されていることによって解決される。
【００１１】
切断溶接継目のこのような配置は、フックフリー領域がフックサポート領域上に載せられている状態で切断溶接継目が形成されていて、これらの切断溶接継目がフックテープのひっくり返し／裏返しにより両方の領域の間へともたらされている場合に簡単に達成される。このようにして切断溶接継目がフックテープの内側にもたらされるので、肌と接し得る縁ゾーンが、溶接されていないフックテープの素材によって形成される。
【００１２】
フックテープの連続・製造は、フックが設けられていて連続するベーステープを使用しながら、セクションを切り離す前にベーステープがその自由端部の領域においてその縦軸線に対して実質的に平行に延びる折り重ねラインを回って次のように折り重ねられる場合に達成される。即ち、ベーステープのフックフリー領域がフック上に載せられるようにである。引き続いて切断溶接継目によりセクションが切り離される。この際、上下に重なり合って位置するそれらの領域はそれらのカッティングエッジに沿って互いに結び合わされ、その結果、次に、そのように形成されたフックテープが次のようにひっくり返され得る／裏返され得る。即ち、切断溶接継目がフックテープの内側で両方の領域の間へと達するようにである。
【００１３】
この際、折り重ねラインが、フックフリー領域内で固定継目に対して側方に間隔をもって延びていると有利である
【００１４】
当初に挙げた形式のアイレットを基礎とし、アイレットテープのための前記課題は、アイレットテープが、そのアイレットフリー領域（即ちアイレットを伴わない領域）に配置されているカバーテープを有し、このカバーテープが切断溶接継目を用いてアイレットテープと結び合わされていることによって解決され、この際、それらの切断溶接継目はアイレットテープのアイレットフリー領域内でアイレットテープとカバーテープとの間に配置されている。
【００１５】
このような配置は、アイレットサポート領域（即ちアイレットを支える領域）上にカバーテープが載せられている状態で切断溶接継目が形成されていて、これらの切断溶接継目がアイレットテープのひっくり返し／裏返しによりそのアイレットフリー領域とカバーテープとの間へともたらされている場合に達成される。
【００１６】
アイレットテープのアイレットフリー領域にカバーテープを取り付けることにより、切断溶接継目により特に鋭く形付けられた結合縁がアイレットテープの内側にもたらされるばかりか、更にはカバーテープによってアイレットのための固定継目もカバーされ、それにより、アイレットテープの装着快適性が更に向上される。
【００１７】
カバーテープをアイレットテープ上に固定する切断溶接継目をできるだけベーステープの領域内に形成するために、カバーテープが、弾性素材、好ましくは弾性生地から成っていると有利である。
【００１８】
ベーステープから切断溶接により対応するセクションが切り離されるが、アイレットが設けられているこのベーステープを使用するアイレットテープの連続・製造は、セクションを切り離す前にベーステープの自由端部の領域内においてそのアイレットサポート領域上にカバーテープが載せられ、引き続いてベーステープのセクションもカバーテープのセクションも切断溶接継目により切り離される場合に達成され、この際、ベーステープとカバーテープはそれらのカッティングエッジに沿って互いに結び合わされ、次に、そのように形成されたアイレットテープが次のようにひっくり返され得る／裏返され得る。即ち、切断溶接継目がアイレットテープのアイレットフリー領域とカバーテープとの間へと達するようにである。
【００１９】
このようにして、連続・製造が維持されるにもかかわらず、切断溶接継目がアイレットテープの内側にもたらされ、その結果、肌と接し得る縁ゾーンが、外面において溶接されていないカバーテープによって形成される。
【００２０】
当初に挙げた形式のフックテープを基礎とし、フックテープのための前記課題は、フックテープが、そのフックフリー領域に配置されているカバーテープを有し、このカバーテープが切断溶接継目を用いてフックテープと結び合わされていることによって解決され、この場合、それらの切断溶接継目はフックテープのフックフリー領域内でフックテープとカバーテープとの間に配置されている。
【００２１】
このような配置は、フックサポート領域上にカバーテープが載せられている状態で切断溶接継目が形成されていて、これらの切断溶接継目がフックテープのひっくり返し／裏返しによりそのフックフリー領域とカバーテープとの間へともたらされている場合に達成される。
【００２２】
フックテープのフックフリー領域にカバーテープを取り付けることにより、切断溶接継目により特に鋭く形付けられた結合縁がフックテープの内側にもたらされるばかりか、更にはカバーテープによってフックのための固定継目もカバーされ、それにより、フックテープの装着快適性が更に向上される。
【００２３】
カバーテープをフックテープ上に固定する切断溶接継目をできるだけベーステープの領域内に形成するために、カバーテープが、弾性素材、好ましくは弾性生地から成っていると有利である。
【００２４】
ベーステープから切断溶接により対応するセクションが切り離されるが、フックが設けられているこのベーステープを使用するフックテープの連続・製造は、セクションを切り離す前にベーステープの自由端部の領域内においてそのフックサポート領域上にカバーテープが載せられ、引き続いてベーステープのセクションもカバーテープのセクションも切断溶接継目により切り離される場合に達成され、この際、ベーステープとカバーテープはそれらのカッティングエッジに沿って互いに結び合わされ、次に、そのように形成されたフックテープが次のようにひっくり返され得る／裏返され得る。即ち、切断溶接継目がフックテープのフックフリー領域とカバーテープとの間へと達するようにである。
【００２５】
このようにして、連続・製造が維持されるにもかかわらず、切断溶接継目がフックテープの内側にもたらされ、その結果、肌と接し得る縁ゾーンが、外面において溶接されていないカバーテープによって形成される。
【００２６】
本発明の他の詳細及び長所は、添付の図面に描かれている本発明の実施形態に関する以下の説明から明らかである。
【００２７】
図1には、フックテープ２のベーステープ１が示されていて、このベーステープ１には予め設定された間隔でフック３が設けられている。これらのフック３は、ベーステープ２の縦軸線に対して実質的に平行に延びる固定継目４を用いてベーステープ１に固定されていて、この際、フック３の縦軸線はベーステープ１の縦軸線に対して実質的に横向きに延びている。図示されている実施形態において、ベーステープ１の各々の側面領域は、互いに折り重ねられていて、所定の値で重なり合っている。図２において下側に位置するベーステープ１の側面領域５は、綺麗なエッジを形成するためにもう一度内側に折り返され、それよりも長い側面領域６上に載せられている。固定継目４は同時にベーステープ１のこれらの折り重ねを固定するために用いられ、従ってベーステープ１は、互いに重なり合うへりを有するチューブ形状の形成物と言える。ベーステープ１の内側には裏地テープが設けられ得る。
【００２８】
従って、短い側面領域５は、フックサポート領域７、即ちフックを支える領域７を形成し、それに対し、より長い側面領域６は、フックフリー領域８、即ちフックを伴わない領域８を形成する。これらの領域７及び８は、異なる大きさを有するが、同じ大きさであってもよい。
【００２９】
図１には、ベーステープ１の前方端部が、予め設定された長さに沿って、好ましくは固定継目４により形成されている折り重ねラインを回って次のように折り重ねられる。即ち、フックフリー領域８がフックサポート領域７上に載せられるようにである。それにより、それらのフック３は、これらの折り重ねの領域内でフックフリー領域８により覆われていることになる。
【００３０】
領域７及び８がこの位置にある状態で、例えば超音波を用いた熱溶接法を用い、予め設定された長さのセクションがベーステープ１から連続して切り離される。これらのセクションの長さは、例えばブラジャーにおける、製造すべきフックテープ２の使用位置に関し、フックテープ２の高さ或いは幅を決定する。
【００３１】
そのために使用される切断溶接工具は、この切断溶接工具が切断過程中に第１セクションにおいてもこれに続く第２セクションにおいても各々に切断溶接継目１０を形成するように構成されている。従って、それにより生じるフックサポート領域７のカッティングエッジ９はフックフリー領域８のカッティングエッジ１１と溶接され、この際、硬化されてしかも極めて鋭く形付けられた結合縁１２が各々に生じ、この結合縁１２は対応するセクションの各々の外側に位置する。この場合、フック３はフックフリー領域８によって未だに覆われている（図３及び図５）。
【００３２】
それに引き続く裏返し過程により前記のセクションが次のように裏返される。即ち、一方ではフック３がフックフリー領域８から解放され、他方では結合縁１２（切断溶接継目１０）が完成したフックテープ２の内側に達するようにである。その結果、フックテープ２の使用位置において肌に接触する、フックテープ２の両方の境界エッジ１３及び１４は、ベーステープ１の素材によって形成されている（図４）。
【００３３】
このように製造されたフックテープ２は、周知の方式で、衣類のキャリアバンド、例えばブラジャーのキャリアバンドに縫い付けられ得る。この場合、ブラジャーの使用位置に関し、両方の境界エッジ１３及び１４は、キャリアバンドに縫い付けられたフックテープ２の上側領域及び下側領域を形成する。
【００３４】
図６には、アイレットテープ２２のベーステープ２１が示されていて、このベーステープ２１には予め設定された間隔でアイレット２３が設けられている。図６から見て取れるように、ベーステープ２１上には、このベーステープ２１の縦軸線に対して平行に延びる複数の折り重ねテープ２４が、これらの折り重ねテープ２４に対して平行に延びる固定継目２５を用いて縫い付けられている。これらの固定継目２５は同時にベーステープ２１にアイレット２３を固定するために用いられ、これらアイレット２３の縦軸線はベーステープ２１の縦軸線に対して実質的に横向きに延びている。従って、このベーステープ２１は、その一方の側面でアイレットサポート領域２６、即ちアイレットを支える領域２６を、その他方の側面でアイレットフリー領域２７、即ちアイレットを伴わない領域２７を有する。
【００３５】
ベーステープ２１は、好ましくは軟らかい素材から製造されていて、平たいテープにより形成され得て、図には詳細に描かれていないその側面領域は、互いに折り重ねられていて、所定の値で重なり合っている。従ってベーステープ２１は、互いに重なり合うへりを有するチューブ形状の形成物と言える。ベーステープ２１の内側には裏地テープが設けられ得る。従って、ベーステープ２１の折り返しエッジ２８及び２９は、アイレットテープ２２をブラジャーに使用する場合のその使用位置に関し、アイレットテープ２２の両方の端面側の境界部を示すことになる。
【００３６】
図６から見て取れるように、ベーステープ２１においてアイレットサポート領域２６上にはカバーテープ３０が載せられ、このカバーテープ３０がアイレット２３を覆うことになる。
【００３７】
ベーステープ２１とカバーテープ３０がこの位置にある状態で、熱溶接法を用い、予め設定された長さのセクションがベーステープ２１から連続して切り離される。これらのセクションの長さは、例えばブラジャーにおける、製造すべきアイレットテープ２２の使用位置に関し、アイレットテープ２２の高さ或いは幅を決定する。
【００３８】
ここでも、そのために使用される切断溶接工具は、この切断溶接工具が切断過程中に第１セクションにおいてもこれに続く第２セクションにおいても切断溶接継目３１或いは３２を形成するように構成されている。従って、それにより生じるアイレットテープ２２のカッティングエッジ３４はカバーテープ３０のカッティングエッジ３５と溶接され、この際、硬化されてしかも極めて鋭く形付けられた結合縁３６が各々に生じ、この結合縁３６は対応するセクションの各々の外側に位置する。この場合、アイレット２３は溶接されたカバーテープ３０によって未だに覆われている。
【００３９】
それに引き続くひっくり返し／裏返し過程により前記のセクションが次のようにひっくり返される／裏返される。即ち、カバーテープ３０がアイレットサポート領域２６からアイレットフリー領域２７に達するようにである。それによりアイレット２３が露出される。同時に結合縁３６（切断溶接継目３１及び３２）は完成したアイレットテープ２２の内側に達し、その結果、アイレットテープ２２の使用位置において肌に接触する、アイレットテープ２２の両方の境界エッジ３７及び３８は、カバーテープ３０によって形成されている。
【００４０】
このように製造されたアイレットテープ２２は、周知の方式で、衣類のキャリアバンド、例えばブラジャーのキャリアバンドに縫い付けられ得る。この場合、ブラジャーの使用位置に関し、両方の境界エッジ３７及び３８は、キャリアバンドに縫い付けられたアイレットテープ２２の上側領域及び下側領域を形成する。
【００４１】
上記のものは、個々のセクションを切り離す際、フックテープ２からもアイレットテープ２２からも、各々２つのセクションにおいて各々１つの切断溶接継目が形成されることを基礎にしたものである。このことは比較的簡単な切断溶接工具により行われ得る。更に、この場合にはベーステープ２１におけるどんな屑も回避される。
【００４２】
また、フックテープ２或いはアイレットテープ２２から個々のセクションを切り離さすために各々に成形・切断溶接工具を使用することは、当然のことながら本発明の枠内にあることである。従って、各々のセクションに同時に各々の両方の切断溶接継目を形成することも可能である。
【００４３】
その際、フックテープ２のベーステープ１からセクションを切り離すために使用される成形・切断溶接工具には、個々のセクションの長さの間隔に配置すべき直線的な２つのソノトローデだけを設ければよい。
【００４４】
アイレットテープ２２のベーステープ２１からセクションを切り離すために、実質的にＵ字形状のソノトローデを使用する可能性が提供され、それにより、この場合には、両方の切断溶接継目３１及び３２と、同時にこれらの間に延びる横溶接継目３３とが製造され得る。この際、Ｕ字形状のソノトローデにおいて互いに平行に延びる両方のアームを用い、両方の切断溶接継目３１及び３２が製造され、それに対し、両方のアームを接続するクロスバーを用い、両方の折り返しエッジ２８及び２９のうちの１つの領域内で横溶接継目３３が製造され得て、この横溶接継目３３は通常の溶接継目として（即ち、切断溶接継目としてではなく）形成され得る。
【００４５】
つまり、それにより、対応する折り返しエッジ２９の領域には同様に硬化された結合縁が生じ、このことは差し当たり短所として判断され得る。しかし、アイレットテープ２２のひっくり返し／裏返し過程により、この結合縁がアイレットテープ２２のアイレットフリー領域２７とカバーテープ３０との間へと達するので、この短所は再び解消され、この際、同時に、対応する折り返しエッジが硬化されるという長所が達成される。横溶接継目３３が、アイレットテープ２２の端部にして対応するキャリアバンドに後になって結び合わされない端部の領域内に設けられる場合、対応する折り返しエッジのこの硬化はアイレットテープ２２の外見の改善に寄与することになる。
【００４６】
図９には、フックテープ５２の第２実施形態のベーステープ５１が示されていて、そのフック５３は、予め設定された間隔で配置されていて、固定継目５４を用いてベーステープ５１に縫い付けられている。フック５３の縦軸線はベーステープ５１の縦軸線に対して実質的に横向きに延びていて、それにより、固定継目５４はベーステープ５１の縦軸線に対して実質的に平行に延びている。この固定継目５４は、フック５３の縫い付けアイレット５５の領域において、ベーステープ５１の縦軸線に対して横向きに延びるセクション５６を有し、これらのセクション５６は、詳細には図示されていない結合ステッチで互いに結び合わされている。
【００４７】
ベーステープ５１は平たいテープから形成され得て、この平たいテープの両方の端部領域は先ず折り重ねられる必要があり、この際、それにより生じるより短いアーム５７の端部は、もう一度内側に折り返されていて、より長いアーム５８の端部上に載せられ、それにより、両方のアーム５７及び５８は所定の値で互いに重なり合っていて、ベーステープ５１はチューブ形状の形成物の形式を示し、このチューブ形状の形成物内には裏地テープが設けられ得る。
【００４８】
ベーステープ５１は他の実施形態において他の方式でも製造され得る。図１０ａにはベーステープ５１ａが示されていて、このベーステープ５１ａは２つのテープ５７ａ並びに５８ａによって形成されている。この場合、テープ５７ａは実質的にベーステープ５１の短いアーム５７に対応し、それに対し、テープ５８ａはベーステープ５１の長いアーム５８に対応する。
【００４９】
そのために図１０ａから見て取れるように、テープ５７ａの両方の端部領域は、より短いその端部領域がより長い端部領域上に載せられるように互いに折り重ねられている。それに対し、テープ５８ａの端部領域は、より長いその端部領域がより短い端部領域上に載せられるように互いに折り重ねられている。この場合にも、フック５３は、対応する固定継目５４を用いて両方のテープ５７ａ及び５８ａの間に同様に固定され、この際、これらのテープ５７ａ及び５８ａは固定継目５４及び／又は別個の継目により互いに結び合わされ得る。
【００５０】
従って、ベーステープ５１或いは５１ａの製造方式に依存せず、それらの折り返しエッジ５９及び６０は、フックテープ５２をブラジャーに使用する場合のその使用位置に関し、フックテープ５２の両方の端面側の境界部を示すことになる。
【００５１】
従って、ベーステープ５１もベーステープ５１ａも、その一方の側面でフックサポート領域６１を有し、その他方の側面でフックフリー領域６２を有する。
【００５２】
ベーステープ５１或いはベーステープ５１ａの異なる実施形態が本発明による教えの使用可能性に影響を及ぼさない以上、以下ではベーステープ５１だけに関連して説明を続けるものとする。
【００５３】
図９から見て取れるように、そこで製造されているベーステープ５１において図面では右側の領域上にはカバーテープ６３が載せられていて、このカバーテープ６３は、フック５３を覆い、カバーテープ６３の全幅に渡って延びている。
【００５４】
ベーステープ５１とカバーテープ６３がこの位置にある状態で、熱溶接法を用い、予め設定された長さのセクションがベーステープ５１から連続して切り離される。これらのセクションの長さは、例えばブラジャーにおける、製造すべきフックテープ５２の使用位置に関し、フックテープ５２の高さ或いは幅を決定する。
【００５５】
ここでも、そのために使用される切断溶接工具は、この切断溶接工具が切断過程中に第１セクションにおいてもこれに続く第２セクションにおいても切断溶接継目６４或いは６５を形成するように構成されている。従って、それにより生じるフックテープ５２のカッティングエッジ６６はカバーテープ６３のカッティングエッジ６７と溶接され、この際、硬化されてしかも極めて鋭く形付けられた結合縁６８が各々に生じ、この結合縁６８は対応するセクションの各々の外側に位置する。この場合、フック５３は溶接されたカバーテープ６３によって未だに覆われている。
【００５６】
それに引き続くひっくり返し／裏返し過程により前記のセクションが次のようにひっくり返される／裏返される。即ち、カバーテープ６３がフックサポート領域６１からフックフリー領域６２に達するようにである。それによりフック５３が露出される。同時に結合縁６８（切断溶接継目６４及び６５）は完成したフックテープ５２の内側に達し、その結果、フックテープ５２の使用位置において肌に接触する、フックテープ５２の両方の境界エッジ５９及び６０は、カバーテープ６３によって形成されている。
【００５７】
このように製造されたフックテープ５２は、周知の方式で、衣類のキャリアバンド、例えばブラジャーのキャリアバンドに縫い付けられ得る。この場合、ブラジャーの使用位置に関し、両方の境界エッジ５９及び６０は、キャリアバンドに縫い付けられたフックテープ５２の上側領域及び下側領域を形成する。
【００５８】
上記のものは、個々のセクションをフックテープ５２から切り離す際、各々２つのセクションにおいて各々１つの切断溶接継目が形成されることを基礎にしたものである。このことは比較的簡単な切断溶接工具により行われ得る。更に、この場合にはベーステープ５１におけるどんな屑も回避される。
【００５９】
また、フックテープ５２から個々のセクションを切り離さすために各々に成形・切断溶接工具を使用することは、当然のことながら本発明の枠内にあることである。従って、各々のセクションに同時に各々の両方の切断溶接継目を形成することも可能である。
【００６０】
その際、フックテープ５２のベーステープ５１からセクションを切り離すために使用される成形・切断溶接工具には、個々のセクションの長さの間隔に配置すべき直線的な２つのソノトローデだけを設ければよい。
【００６１】
ここでも、フックテープ５２のベーステープ５１からセクションを切り離すために、実質的にＵ字形状のソノトローデを使用する可能性が提供され、それにより、この場合には、両方の切断溶接継目６４及び６５と、同時にこれらの間に延びる横溶接継目６９とが製造され得る。この際、Ｕ字形状のソノトローデにおいて互いに平行に延びる両方のアームを用い、両方の切断溶接継目６４及び６５が製造され、それに対して、両方のアームを接続するクロスバーを用い、両方の折り返しエッジ５９及び６０のうちの１つの領域内で横溶接継目６９が製造され得て、この横溶接継目６９は通常の溶接継目として（即ち、切断溶接継目としてではなく）形成され得る。
【００６２】
つまり、それにより、対応する折り返しエッジ５９の領域には同様に硬化された結合縁が生じ、このことは差し当たり短所として判断され得る。しかし、フックテープ５２のひっくり返し／裏返し過程により、この結合縁がフックテープ５２のフックフリー領域６２とカバーテープ６３との間へと達するので、この短所は再び解消され、この際、同時に、対応する折り返しエッジが硬化されるという長所が達成される。横溶接継目６９が、フックテープ５２の端部にして対応するキャリアバンドに後になって結び合わされない端部の領域内に設けられる場合、対応する折り返しエッジのこの硬化はフックテープ５２の外見の改善に寄与する。
【図面の簡単な説明】
【図１】  折り重ねられた端部を有する連続・テープとして、フックの設けられているフックテープのベーステープにおける第１実施形態を示す図である。
【図２】  未だ折り重ねられていないフックテープのベーステープの横断面を示す図である。
【図３】  切断溶接過程後のフックテープを示す図である。
【図４】  ひっくり返し／裏返し過程後のフックテープを示す図である。
【図５】  図１のB-B線による断面を示す図である。
【図６】  連続・テープとしてのカバーテープを有するアイレットテープのベーステープを示す図である。
【図７】  溶接されたカバーテープと共に、図６のA-A線による断面を示す図である。
【図８】  ひっくり返し／裏返し過程後のアイレットテープを示す図である。
【図９】  本発明によるフックテープの第２実施形態を示す図であり、このフックテープは、その前側領域において溶接されたカバーテープを有する。
【図１０】  図１０は、図９のA-B線による断面を示す図である。図１０ａは、２本のテープで形成されているフックテープの他の実施形態を、図１０に対応して示す図である。
【図１１】  切断溶接過程後の図９のC-D線による断面を示す図である。
【図１２】  切断溶接過程及びひっくり返し／裏返し過程後の図９のC-D線による断面を示す図である。
【図１】
0004070466.tif 000002
【図２】
0004070466.tif 000003
【図３】
0004070466.tif 000004
【図４】
0004070466.tif 000005
【図５】
0004070466.tif 000006
【図６】
0004070466.tif 000007
【図７】
0004070466.tif 000008
【図８】
0004070466.tif 000009
【図９】
0004070466.tif 000010
【図１０】
0004070466.tif 000011
【図１０ａ】
0004070466.tif 000012
【図１１】
0004070466.tif 000013
【図１２】
0004070466.tif 000014